(57)【要約】      （修正有）【課題】バチで駒を打つことにより音を奏でることが出来、通常のように弦をバチで撥いて音を奏でることも出来る弦楽器の駒（兼用駒）を提供する。【解決手段】弦楽器の駒１０には、駒の上部にバチを打ち当てることの出来る被打部１１が形成され、弦孔１５が設けられ、弦孔内部に弦２０を支持する弦支持部が具備されている。【選択図】図１
0003211420.tif 000002
【実用新案登録請求の範囲】
【請求項１】
駒の上部にバチを打ち当てることの出来る被打部（１１）が形成され、
少なくとも一つの弦孔（１５）が形成されており、
前記弦孔の内部において、
弦（２０）を支持する弦支持部（１６）が形成されていることを特徴とする弦楽器の駒。
【請求項２】
前記被打部が略平坦面であることを特徴とする請求項１に記載の弦楽器の駒。
【請求項３】
駒端面（１２）または駒正面（１３）の形状が略山形であることを特徴とする請求項１または２に記載の弦楽器の駒。
【請求項４】
前記被打部を構成する構成部材（１７）を具備していることを特徴とする請求項１乃至３のいずれか一項に記載の弦楽器の駒。
【考案の詳細な説明】
【技術分野】
【０００１】  本考案は、弦楽器の駒に関するものである。
【背景技術】
【０００２】  弦楽器の共通構造として、弦の振動自体が発する音は微音である為、音を増幅させる装置（共鳴体）を有している。その共鳴体は、一般的に中空構造であり、共鳴体の表面は、皮・紙・薄板などの振動媒介体（振動膜）で覆われている。【０００３】  従来の弦楽器の駒の役割は、演奏者によって弾かれた弦の振動を、振動膜を介して共鳴体へ伝達することである。バチで駒を直接打って音を奏でることを想定していなかった為に、バチから受ける衝撃に対して耐える構造設計になっていない。
その為、バチで駒を打った場合には、駒の破損や弦の劣化が生じる恐れがあった。また、バチで弦を弾いた際に、不意に駒が弦から落脱してしまう恐れもあった。
【考案の概要】
【考案が解決しようとする課題】
【０００４】  本考案の目的は、バチで駒を打つことにより音を奏でることが出来、通常のように弦をバチで撥いて音を奏でることも出来る駒、すなわち兼用駒を提供することにある。
【課題を解決するための手段】
【０００５】  上記の目的を達成するため、本考案は、駒の上部にバチを打ち当てることの出来る被打部が形成され、少なくとも一つの弦孔が形成されており、前記弦孔の内部において、弦を支持する弦支持部が形成されていることを特徴とする弦楽器の駒を提供する。【０００６】  前記被打部が略平坦面であることが好ましい。【０００７】  駒端面または駒正面の形状が略山形であることが好ましい。【０００８】  前記被打部を構成する構成部材を具備していることが好ましい。
【考案の効果】
【０００９】  この駒の特徴はバチで打つことが可能な被打部が形成されていることである。この被打部をバチで打つと、その運動エネルギーが駒を介して振動膜へ伝わる。
さらに、駒の反動によって弦が持ち上げられて振動を起こし、その弦の振動エネルギーが振動膜に伝わることで重層的で余韻のある音を奏でることが可能になる。【００１０】  従来と同様にバチで直接的に弦を撥いて演奏することと合わせて、弦楽器の新しい用途を生み出す。
本考案の駒を用いた楽器は幅広い用途で用いることが可能である。【００１１】  また、駒に形成された弦孔に弦を挿通させることで、駒が弦から不意に外れてしまうことを防ぐことも出来る。
【図面の簡単な説明】
【００１２】
【図１】本考案の実施形態に係る弦楽器の駒の斜視図である。
【図２】本考案の実施形態に係る弦楽器の駒の断面図である。
【図３】本考案の実施形態に係る弦楽器の駒の変形例１の斜視図である。
【図４】本考案の実施形態に係る弦楽器の駒の変形例２の斜視図である。
【図５】本考案の実施形態に係る弦楽器の駒の変形例３の正面図である。
【図６】本考案の実施形態に係る弦楽器の駒の変形例４の正面図である。
【図７】本考案の実施形態に係る弦楽器の駒の変形例５の斜視図である。
【考案を実施するための形態】
【００１３】  図１は本考案実施形態に係る弦楽器の駒の斜視図である。本考案による弦楽器の駒１０は、両端に駒端面１２があり、正面に駒正面１３がある。
図で示しているのは、弦楽器の共鳴体の上に載置した状態であり、駒１０の上部には、バチで打って演奏する際にバチの当たる場所である被打部１１が形成されている。
当該被打部１１は、バチが打ちやすいように一定の広さを有する面が形成されており、図１における被打部１１には、平坦面が形成されている。
【００１４】  駒正面１３には、弦２０を挿通可能にさせる弦孔１５が貫設されている。図示された例では、駒１０の高さ方向の略中央（被打部と載置面との略中央）の位置に、弦孔１５が設けられている。
この実施例では、三味線において用いられる駒を想定している為、３列の弦孔１５が形成されているが、より多くの弦を有する楽器に用いる場合にはより多くの弦孔を設ければ対応可能であり、弦孔を３列に限定するものではない。本考案における弦は、三味線の糸に該当する。
【００１５】  駒は、木、合成樹脂、ゴム、プラスティック、ガラス、セラミック、紙、金属などの材質で出来ている。図示した駒の構造によって、従来の駒よりも耐久性能を高かめることも可能である。
【００１６】  図２は本考案の実施形態に係る弦楽器の駒の断面図である。弦孔１５の軸方向の中央近傍に、弦２０を支持する弦支持部１６が形成されている。
【００１７】  図３は本考案の実施形態に係る弦楽器の駒の変形例１の斜視図である。周端面１２の形状が略山形である。駒端部を軸にして回る面に駒周面１４ａが存在し、駒周面１４ａには被打部１１が形成されている。
図面からは見えないが、載置面側に凹み部を設けることで、駒の軽量化を図ることも可能である。駒周面や駒載置面に凹み部があることで音響的な変化が生じる。
【００１８】  図４は本考案の実施形態に係る弦楽器の駒の変形例２の斜視図である。周正面１３の形状が略山形である。弦軸方向を軸にして回る面に駒周面１４ｂが存在し、駒周面１４ｂには被打部１１が形成されている。
【００１９】  全般的に、駒の形状は図示されたものに限定されず、略球・略半球などの形状でも可能である。略球・略半球の形状の場合、駒周面の面積が広くなり、被打部として利用可能な面積も広くなる。
【００２０】  図５は本考案の実施形態に係る弦楽器の駒の変形例３の正面図である。駒の上部に被打部１１が形成されている。駒正面１３に、弦２０を挿通可能にさせる弦孔１５が貫設されている。図示された例では、弦支持部１６が３個形成されており、複数の弦２０を一つの弦孔１５で共有可能な構造である。
【００２１】  図６は本考案の実施形態に係る弦楽器の駒の変形例４の正面図である。駒の上部に被打部１１が形成されている。また、長さ方向の略中央部に弦孔１５が１個形成されており、その両側に弦支持部１６が２個形成されている。
勿論、弦楽器の弦数に応じて、弦孔・弦支持部を増やすことも可能であり、弦孔を２個以上設けて、弦との連結性を高めることも出来る。
弦孔１５に弦２０を挿通させることで、駒が弦２０から不意に外れてしまうことを防止することが可能になる。
【００２２】  図７本考案の実施形態に係る弦楽器の駒の変形例５の斜視図である。図示された例では、被打部１１を構成する構成部材１７が具備されている。構成部材１７を装着することで、駒全体として被打部１１を有することになる。構成部材１７の上部に平坦面が形成されている。
【００２３】  構成部材１７は、駒本体と同質または異質の素材であり、金属、ゴム、プラスティック、ガラス、セラミックなどの素材を用いることが出来る。
金属の素材を用いた場合には、バチが被打部１１に当たると金属音が響くようになる。構成部材１７を付け替えることで、異なる音響を楽しむことが可能になる。
【符号の説明】
【００２４】１０  駒
１１  被打部
１２  駒正面
１３  駒端面
１４ａ  駒周面
１４ｂ  駒周面
１５  弦孔
１６  弦支持部
１７  構成部材
２０  弦
【図１】
0003211420.tif 000003
【図２】
0003211420.tif 000004
【図３】
0003211420.tif 000005
【図４】
0003211420.tif 000006
【図５】
0003211420.tif 000007
【図６】
0003211420.tif 000008
【図７】
0003211420.tif 000009
【手続補正書】
【提出日】平成29年5月12日(2017.5.12)
【手続補正１】
【補正対象書類名】明細書
【補正対象項目名】００１７
【補正方法】変更
【補正の内容】
【００１７】  図３は本考案の実施形態に係る弦楽器の駒の変形例１の斜視図である。駒端面１２の形状が略山形である。駒端部を軸にして回る面に駒周面１４ａが存在し、駒周面１４ａには被打部１１が形成されている。
図面からは見えないが、載置面側に凹み部を設けることで、駒の軽量化を図ることも可能である。駒周面や駒載置面に凹み部があることで音響的な変化が生じる。
【手続補正２】
【補正対象書類名】明細書
【補正対象項目名】００１８
【補正方法】変更
【補正の内容】
【００１８】  図４は本考案の実施形態に係る弦楽器の駒の変形例２の斜視図である。駒正面１３の形状が略山形である。弦軸方向を軸にして回る面に駒周面１４ｂが存在し、駒周面１４ｂには被打部１１が形成されている。
【手続補正３】
【補正対象書類名】明細書
【補正対象項目名】００２４
【補正方法】変更
【補正の内容】
【００２４】１０  駒
１１  被打部
１２  駒端面
１３  駒正面
１４ａ  駒周面
１４ｂ  駒周面
１５  弦孔
１６  弦支持部
１７  構成部材
２０  弦